(57)【特許請求の範囲】
【請求項１】
絞りを有する結像光学系と、
前記結像光学系の撮像画面内に設定された焦点検出領域にある主要被写体像について、前記結像光学系の異なった瞳部分を通った一対の光束に基づき、前記結像光学系の焦点調節状態を表す第１の焦点検出信号を出力し、前記絞りの絞り値が所定値以上のときに前記結像光学系の焦点調節状態を検出できない位相差検出式の焦点検出手段と、
前記結像光学系による被写体像を受光して、前記結像光学系の焦点調節状態を表す第２の焦点検出信号を出力するコントラスト検出式の焦点検出手段と、
前記絞りの絞り値が前記所定値未満であるときは前記第１の焦点検出信号に基づき前記結像光学系の焦点調節を行い、前記絞りの絞り値が前記所定値以上であるときは前記第２の焦点検出信号に基づき前記結像光学系の焦点調節を行う焦点調節手段と、
表示部材を有し、（１）前記焦点調節手段が前記第１の焦点検出信号に基づき前記結像光学系の焦点調節を行っていることを示す第１の表示を前記表示部材の第１の領域に行い、（２）前記焦点調節手段が前記第２の焦点検出信号に基づき前記結像光学系の焦点調節を行っていることを示す第２の表示を前記表示部材の第２の領域に行い、（３）前記表示部材の第３の領域に、前記位相差検出式の焦点検出手段では前記結像光学系の焦点調節状態を検出することができない理由を表すために前記所定値以上の前記絞りの絞り値を表示するとともに、前記焦点検出領域に主要被写体像が存在しない場合にはその旨を表示する報知手段と、
を備えることを特徴とする光学機器。
【請求項２】
請求項１に記載の光学機器において、
被写体が移動しているか否かを判定する移動判定手段をさらに備え、
前記報知手段は、前記被写体が移動していると前記移動判定手段が判定したときに前記第２の焦点検出信号に基づく前記結像光学系の焦点調節が行えない理由を前記表示部材の第４の領域に表示することを含むことを特徴とする光学機器。
【請求項３】
請求項１または２に記載の光学機器において、
前記報知手段は、音声出力部をさらに有し、前記焦点調節手段が前記第１の焦点検出信号に基づき前記結像光学系の焦点調節を行っているときは前記音声出力部から第１の音声を発音し、前記焦点調節手段が前記第２の焦点検出信号に基づき前記結像光学系の焦点調節を行っているときは前記第１の音声とは異なる第２の音声を前記音声出力部から発音することを特徴とする光学機器。
【請求項４】
請求項１から３のいずれか一項に記載の光学機器において、
前記報知手段は、発光部材をさらに有し、前記焦点調節手段が前記第１の焦点検出信号に基づき前記結像光学系の焦点調節を行っているときは第１の発光態様で前記発光部材を発光させ、前記焦点調節手段が前記第２の焦点検出信号に基づき前記結像光学系の焦点調節を行っているときは第２の発光態様で前記発光部材を発光させることを特徴とする光学機器。
【請求項５】
請求項１から４のいずれか一項に記載の光学機器において、
撮像すべき被写体像を表示する観察部材をさらに備え、
前記報知手段は、前記焦点調節手段が前記第１の焦点検出信号に基づき前記結像光学系の焦点調節を行っているときは、前記位相差検出式の焦点検出手段が焦点検出しているフォーカスエリアを示す第１のマークを前記観察部材にさらに表示し、前記焦点調節手段が前記第２の焦点検出信号に基づき前記結像光学系の焦点調節を行っているときは、前記コントラスト検出式の焦点検出手段が焦点検出しているフォーカスエリアを示す第２のマークを前記観察部材にさらに表示することを特徴とする光学機器。
【発明の詳細な説明】
【技術分野】
【０００１】
本発明は、二つのＡＦ方式を切り替えるハイブリッドＡＦ方式の光学機器に関する。
【背景技術】
【０００２】
特許文献１には、二つのＡＦ方式（位相差検出ＡＦ方式とコントラスト検出ＡＦ方式）を備えるハイブリッドＡＦ方式の電子カメラにおいて、二つのＡＦ方式の両方により合焦状態となったか否かを報知するカメラが記載されている。
【先行技術文献】
【特許文献】
【０００３】
【特許文献１】特開２００２−３１１３２８号公報
【発明の概要】
【発明が解決しようとする課題】
【０００４】
位相差検出ＡＦ方式やコントラスト検出ＡＦ方式など、複数のオートフォーカス（ＡＦ）方式により焦点調節状態を検出するハイブリッドＡＦ方式の光学機器にあっては、複数のＡＦ方式を状況に応じて切り替えて使用している。たとえば、移動する被写体に対して高速に合焦しなくてはならないときは位相差検出ＡＦ方式に切替え、高精度に合焦しなくてはならないときはコントラスト検出ＡＦ方式に切り替えるといった使い分けがなされている。そのＡＦ方式の切替にあっては、ユーザが行う光学機器の各種設定が影響していた。
【０００５】
しかし、光学機器がいずれのＡＦ方式により焦点調節状態を検出しているかは、ユーザに報知されていなかった。そのため、ユーザが光学機器の設定を行う際、不便に感じることがあった。
【０００６】
本発明は、上述した課題を鑑みてなされたものであり、二つのＡＦ方式を備える光学機器において、焦点調節状態を検出しているＡＦ方式をリアルタイムに報知することを目的とする。
【課題を解決するための手段】
【０００７】
本発明による光学機器は、絞りを有する結像光学系と、結像光学系の撮像画面内に設定された焦点検出領域にある主要被写体像について、結像光学系の異なった瞳部分を通った一対の光束に基づき、結像光学系の焦点調節状態を表す第１の焦点検出信号を出力し、絞りの絞り値が所定値以上のときに結像光学系の焦点調節状態を検出できない位相差検出式の焦点検出手段と、結像光学系による被写体像を受光して、結像光学系の焦点調節状態を表す第２の焦点検出信号を出力するコントラスト検出式の焦点検出手段と、絞りの絞り値が所定値未満であるときは第１の焦点検出信号に基づき結像光学系の焦点調節を行い、絞りの絞り値が所定値以上であるときは第２の焦点検出信号に基づき結像光学系の焦点調節を行う焦点調節手段と、表示部材を有し、（１）焦点調節手段が第１の焦点検出信号に基づき結像光学系の焦点調節を行っていることを示す第１の表示を表示部材の第１の領域に行い、（２）焦点調節手段が第２の焦点検出信号に基づき結像光学系の焦点調節を行っていることを示す第２の表示を表示部材の第２の領域に行い、（３）表示部材の第３の領域に位相差検出式の焦点検出手段では結像光学系の焦点調節状態を検出することができない理由を表すために所定値以上の絞りの絞り値を表示するとともに、焦点検出領域に主要被写体像が存在しない場合にはその旨を表示する報知手段と、を備えることを特徴とする。
【発明の効果】
【０００８】
二つのＡＦ方式を備える光学機器において、焦点調節状態を検出しているＡＦ方式をリアルタイムに報知することができる。
【図面の簡単な説明】
【０００９】
【図１】本発明の一実施形態による光学機器の一実施例としてデジタルカメラの構成を示すブロック図である。
【図２】交換レンズの予定結像面に設定した撮像画面上の焦点検出領域を示す図である。
【図３】デジタルカメラに備えられるＬＣＤを用いたＡＦ方式の報知例を示す図である。
【図４】二つのＡＦ方式を切り替え、そのＡＦ方式に対応した報知を行う処理に関するフローチャートの一例である。
【図５】ＬＣＤを用いた報知の一変形例を示す図である。
【図６】ＬＣＤを用いた報知の一変形例を示す図である。
【図７】ＬＣＤを用いた報知の一変形例を示す図である。
【発明を実施するための形態】
【００１０】
図１は、本発明の光学機器の一実施形態であるハイブリッドＡＦ方式のデジタルカメラについて、一構成例を示すブロック構成図である。図１に示すデジタルカメラ１は、交換レンズ２と、カメラボディ３とを備え、交換レンズ２はカメラボディ３のマウント部４に装着される。
【００１１】
交換レンズ２は、レンズ２１ａ〜２１ｃや、絞り２２、レンズ駆動制御装置２３などを備えている。なお、レンズ２１ｂおよびレンズ２１ｃはズーミング用、レンズ２１ｃはフォーカシング用である。レンズ駆動制御装置２３は、ＣＰＵとその周辺部品を備え、レンズ２１ｃと絞り２２の駆動制御、レンズ２１ｂや、レンズ２１ｃ、絞り２２の位置検出、カメラボディ３の制御装置との通信によるレンズ情報の送信とカメラ情報の受信などを行う。
【００１２】
絞り２２は、その開口部２２ａを調整することにより交換レンズ２を透過する透過光の光量を調整することができる。絞り２２の開口部２２ａの大きさは、マニュアル設定時はユーザが交換レンズ２の表面にある絞り環（不図示）などの操作部材を操作することにより調節できる。絞り環には、絞り値（Ｆ値）に対応する目盛りが付されている。絞り環により絞り値が大きく設定されると開口部２２ａの大きさが小さくなり、被写体光の光量が小さくなる。また、オート設定時には、絞り２２の開口部２２ａの大きさは、被写体の明るさに応じて自動的に決定される。
【００１３】
レンズ駆動制御装置２３は、レンズ２１ｂ、レンズ２１ｃおよび絞り２２の位置を検出し、検出位置に基づいてレンズ情報を演算するか、あるいは予め用意されたルックアップテーブルから検出位置に応じたレンズ情報を選択し、カメラ駆動制御装置３２へ送る。また、レンズ駆動制御装置２３は、カメラ駆動制御装置３２から送信される焦点検出信号を受信して、フォーカシング用のレンズ２１ｃを駆動制御する。
【００１４】
カメラボディ３は、撮像素子３１、カメラ駆動制御装置３２、メモリカード３３、ＬＣＤドライバ３４、ＬＣＤ３５、接眼レンズ３６、表示モニタ３７などを備えている。撮像素子３１は交換レンズ２の予定結像面（予定焦点面）に配置され、交換レンズ２により結像された被写体像を撮像して撮像信号を出力する。
【００１５】
撮像素子３１には、受光素子が二次元状に配置されており、受光素子アレイを構成している。その受光素子アレイのうち、焦点検出位置に対応した部分には焦点検出用の受光素子アレイ（焦点検出アレイと称する）が組み込まれている。焦点検出アレイは、マイクロレンズと一対の光電変換部とを有する。マイクロレンズは、交換レンズ２の予定結像面に配置されており、その後方に一対の光電変換部が配置され、交換レンズ２の射出瞳の像を一対の光電変換部上に形成する。したがって、一対の光電変換部は、交換レンズ２の異なった射出瞳部分を通過し、マイクロレンズへ向かう被写体光をそれぞれ受光し、光電変換する。一対の光電変換部はそれぞれ、受光した被写体光に対応して、異なった射出瞳を通過した被写体像に関する出力信号をカメラ駆動制御装置３２へ送信する。
【００１６】
カメラ駆動制御装置３２はＣＰＵとその周辺部品を備え、撮像素子３１の駆動制御や、撮像画像の処理、交換レンズ２の焦点検出および焦点調節、絞り２２の制御、ＬＣＤ３５の表示制御、レンズ駆動制御装置２３との通信、カメラ全体のシーケンス制御などを行う。カメラ駆動制御装置３２は、マウント部４に設けられた電気接点４０を介してレンズ駆動制御装置２３と通信を行うことができる。
【００１７】
メモリカード３３は撮像画像を記憶する画像ストレージである。ＬＣＤ３５は液晶ビューファインダ（ＥＶＦ：電子ビューファインダ）の表示器として用いられ、撮影者は接眼レンズ３６を介してＬＣＤ３５に表示された撮像画像を観察することができる。カメラ駆動制御装置３２は、各受光素子アレイの出力に基づいて生成した画像信号をＬＣＤドライバ３４へ送り、ＬＣＤ３５へ撮像画像を表示するよう制御する。また、カメラ駆動制御装置３２は、その画像信号をメモリカード３３へ記憶する。表示モニタ３７は液晶式の表示装置であって、カメラボディ３の背面に備えられている。
【００１８】
カメラ駆動制御装置３２は、撮像素子３１の焦点検出アレイが出力する信号に基づいて焦点検出位置におけるデフォーカス量を演算する。そして、このデフォーカス量を位相差検出ＡＦ用の焦点検出信号としてレンズ駆動制御装置２３へ送信する。
【００１９】
また、カメラ駆動制御装置３２は、撮像素子３１が出力した撮像信号の高周波成分に基づいてＡＦ評価値を算出し、このＡＦ評価値に基づいてコントラスト検出ＡＦ用の焦点検出信号をレンズ駆動制御装置２３へ送信する。
【００２０】
図２は、交換レンズ２の予定結像面に設定した撮像画面Ｇ上の焦点検出領域を示す。撮像画面Ｇ上には、焦点検出領域Ｇ１〜Ｇ９が設定されている。撮像素子３１の焦点検出アレイは、撮像画面Ｇ上の焦点検出領域Ｇ１〜Ｇ９に対応する位置に配されている。つまり、撮像素子３１上の焦点検出アレイは、撮像画面Ｇ上に結像された被写体像の内の焦点検出領域Ｇ１〜Ｇ９の像をサンプリングする。
【００２１】
図３は、ＬＣＤ３５に表示される画面の一例である。図３に示すように、ＬＣＤ３５には、撮像画像を表示するための表示領域である画像表示領域３３１と、実行中のＡＦ方式に関する報知を行うための報知領域３３２とを有する。
【００２２】
報知領域３３２は、コントラスト検出ＡＦ方式が実行されていることを報知するための第１表示領域３３２ａと、位相差検出ＡＦ方式が実行されていることを報知するための第２表示領域３３２ｂと、位相差検出ＡＦ方式により焦点調節状態を検出できない理由を報知する第３表示領域３３２ｃとを有する。
【００２３】
第１表示領域３３２ａには、「コントラスト検出ＡＦ」というＡＦ方式名が表示されているとともに、点灯状態または消灯状態となり得るランプが表示される。図３の例では、第１表示領域３３２ａのランプは点灯状態にあり、コントラスト検出ＡＦ方式による焦点調節が行われていることを示している。
【００２４】
第２表示領域３３２ｂには、「位相差検出ＡＦ」というＡＦ方式名が表示されているとともに、点灯状態または消灯状態のランプが表示される。図３の例では、第２表示領域３３２ｂのランプは消灯状態にあり、位相差検出ＡＦ方式によるＡＦ動作が行われていないことを示している。
【００２５】
第２表示領域３３２ｂに右隣に設けられた第３表示領域３３２ｃには、「絞り値Ｆ１６」と表示されている。この表示は、交換レンズ２の絞り値が所定値（たとえばＦ８）よりも大きいため、位相差検出ＡＦによる焦点調節状態の検出ができないことを意味する。
【００２６】
ユーザは、第３表示領域３３２ｃに表示されている理由を参考にしてデジタルカメラ１の設定を変更することにより、位相差検出ＡＦ方式によるＡＦ動作をデジタルカメラ１に実行させることができる。第３表示領域３３２ｃに表示されている理由が解消された場合、カメラ駆動制御装置３２が実行するＡＦ処理は、コントラスト検出ＡＦ方式から位相差検出ＡＦ方式へ切り替わる。そのとき、第１表示領域３３２ａのランプが消灯状態になり、第２表示領域３３２ｂのランプが点灯状態になる。
【００２７】
図４は、カメラ駆動制御装置３２が実行するＡＦ方式の切替処理に関するフローチャートである。図４では、ユーザが動画像等を撮影しているものとする。ステップＳ４０１では、カメラ駆動制御装置３２は、動画等の撮影が続行されているか否かを判定する。カメラ駆動制御装置３２は、撮影が続行している場合は処理をステップＳ４０２に進め、そうでない場合は図４の処理を終了する。
【００２８】
ステップＳ４０２では、カメラ駆動制御装置３２は、交換レンズ２の絞り値の設定が所定値（たとえば、Ｆ８）未満か否かを判定する。カメラ駆動制御装置３２は、絞り値が所定値未満（たとえば、Ｆ４＜Ｆ８）のとき処理をステップＳ４０３に進め、絞り値が所定値以上のとき処理をステップＳ４１０に進める。
【００２９】
ステップＳ４０３では、カメラ駆動制御装置３２は、撮像素子３１からの撮像信号に基づいて、公知な画像処理方法等を用いて主要被写体とする対象を決定し、そのうえ主要被写体の位置と、主要被写体が行った交換レンズ２の光軸方向の移動を検出する。
【００３０】
ステップＳ４０４では、ステップＳ４０３で検出した主要被写体が焦点検出アレイ上にあるか否かを判定する。カメラ駆動制御装置３２は、その主要被写体が焦点検出アレイ上にある場合は処理をステップＳ４０５に進め、主要被写体が焦点検出アレイ上にない場合はステップＳ４１０に進める。
【００３１】
ステップＳ４０５では、カメラ駆動制御装置３２は、ステップＳ４０３で検出した主要被写体が交換レンズ２の光軸方向に高速移動中か否かを判定する。カメラ駆動制御装置３２は、主要被写体が交換レンズ２の光軸方向に高速に移動している場合は処理をステップＳ４０６に進め、主要被写体が交換レンズ２の光軸方向に高速に移動していない場合は処理をステップＳ４１０に進める。
【００３２】
ステップＳ４０６では、カメラ駆動制御装置３２は、ＡＦ方式を位相差検出ＡＦ方式に切り替える。ステップＳ４０７では、カメラ駆動制御装置３２は、第１表示領域３３２ａのランプを消灯状態にする。ステップＳ４０８では、カメラ駆動制御装置３２は、第２表示領域３３２ｂのランプを点灯状態にする。ステップＳ４０９では、カメラ駆動制御装置３２は、第３表示領域３３２ｃに表示されている内容を消去する。カメラ駆動制御装置３２は、ステップＳ４０９の処理が終了したらステップＳ４０１に戻る。
【００３３】
ステップＳ４１０では、カメラ駆動制御装置３２は、ＡＦ方式をコントラスト検出ＡＦ方式に切り替える。ステップＳ４１１では、カメラ駆動制御装置３２は、第２表示領域３３２ｂのランプを消灯状態にする。ステップＳ４１２では、カメラ駆動制御装置３２は、第１表示領域３３２ａのランプを点灯状態にする。ステップＳ４１３では、カメラ駆動制御装置３２は、第３表示領域３３２ｃに位相差検出ＡＦ方式により焦点調節状態を検出できない理由を表示する。たとえば、ステップＳ４０２において交換レンズ２の絞り値が所定値以上であると判定された場合は、図３のように第３表示領域３３２ｃに絞り値を表示する。また、ステップＳ４０４において主要被写体が位相差検出ＡＦ用検出エリア３２１内にない場合は、その旨を第３表示領域３３２ｃに表示する。
【００３４】
以上説明した各実施の形態によれば、次の作用効果を奏する。
本発明の一実施例であるデジタルカメラ１は、カメラ駆動制御装置３２が位相差検出ＡＦ方式と、コントラスト検出ＡＦ方式とを切り替えながら撮影レンズを合焦位置に調節する。カメラ駆動制御装置３２は、撮像素子３１の焦点検出アレイから出力されたＡＦ信号に基づき焦点調節状態を検知しているときは、第１表示領域３３２ａのランプを消灯状態にし（図４のステップＳ４０７）、第２表示領域３３２ｂのランプを点灯状態にし（ステップＳ４０８）、第３表示態様３３２ｃには何も表示しない（ステップＳ４０９）。一方、撮像素子３１の焦点検出アレイ以外にある受光素子アレイから出力された撮像信号に基づき焦点調節状態を検知しているときは、第２表示領域３３２ｂのランプを消灯状態にし（ステップＳ４１１）、第１表示領域３３２ａのランプを点灯状態にし（ステップＳ４１２）、第３表示領域３３２ｃに位相差検出ＡＦ方式により焦点調節状態を検知できない理由を表示する（ステップＳ４１３）。これにより、二つのＡＦ方式を備える光学機器において、焦点調節状態を検出しているＡＦ方式をユーザにリアルタイムに報知することができる。
【００３５】
以上の各実施の形態は、以下のように変形して実施できる。
上記の実施形態では、交換レンズ２と撮像素子３１との間にミラーを有さないいわゆるミラーレスタイプのデジタルカメラ１を例として説明を行った。しかし、本発明の適用範囲は、クイックリターンミラーを有する一眼レフカメラなどにも適用できる。たとえば、ＡＦ処理実行時はクイックリターンミラーを退避状態にすることにすればよい。また、本発明はデジタルカメラ以外の光学機器にも適用できる。たとえば、オートフォーカス機能を有する双眼鏡などにも適用できる。
【００３６】
上記の実施形態では、デジタルカメラ１は、コントラスト検出ＡＦ方式と、位相差検出ＡＦ方式とのハイブリッドＡＦ方式であった。しかし、本発明によるハイブリッドＡＦ方式の光学機器に採用されるＡＦ方式は、コントラスト検出ＡＦ方式と位相差検出ＡＦ方式の組み合わせだけに限定されない。たとえば、赤外線や超音波などを用いるアクティブ方式のＡＦ方式を含むハイブリッドＡＦ方式などにも適用できる。
【００３７】
図３では、ＬＣＤ３５の第１表示領域３３２ａおよび第２表示領域にそれぞれランプを表示することにしたが、ＬＥＤなどの発光部材を実際に点灯／消灯させることにしてもよい。
【００３８】
撮影者が撮像画像を観察する手段は、接眼レンズ３６およびＬＣＤ３５だけに限定されない。たとえば、カメラボディ３の背面に設置された表示モニタ３７を介して撮像画像を観察できるようにしてもよい。このとき、表示モニタ３７に図３のような画面を表示してＡＦ方式を報知することにしてもよい。
【００３９】
ＡＦ方式の報知方法は、図３のような表示態様だけに限定しない。たとえば、以下に例示する表示態様でもよい。
変形表示態様（１）：上記の実施形態では、位相差検出ＡＦ方式により焦点調節状態が検出できないとき、第３表示領域３３２ｃにその理由が表示された。これと同様にコントラスト検出ＡＦ方式により焦点調節状態が検知できない理由を表示する表示領域を報知領域３３２内に有することにしてもよい。この表示領域には、たとえば「被写体の高速移動」などといった理由が報知される。
【００４０】
変形表示態様（２）：上記の実施形態における報知領域３３２には、コントラスト検出ＡＦ方式が実行されていることを報知するための第１表示領域３３２ａと、位相差検出ＡＦ方式が実行されていることを報知するための第２表示領域３３２ｂとが含まれていた。しかし、これらの第１表示領域３３２ａと、第２表示領域３３２ｂとの両方の役割を果たすランプ３３２ｄを表示することにしてもよい。ランプ３３２ｄは、たとえばコントラス検出ＡＦ方式により焦点調節状態を検出しているときは点灯させ、位相差検出ＡＦ方式により焦点調節状態を検出しているときは点滅させることにすればよい。
【００４１】
変形表示態様（３）：実行中のＡＦ方式は報知領域３３２だけでなく、画像表示領域３３１を介して報知することにしてもよい。図６の表示例では、ＬＣＤ３５の画像表示領域３３１の左上角に実行中のＡＦ方式名称「位相差検出ＡＦ」を表示している。
【００４２】
また、図７に示すようにＬＣＤ３５の画像表示領域３３１に焦点検出しているフォーカスエリアを表示し、そのフォーカスエリアの表示態様に基づいて実行中のＡＦ方式を報知することにしてもよい。図７の表示例では、図２の焦点検出アレイの位置に対応する位置にマーク７１が九つ表示されている。そして、カメラ駆動制御装置３２が位相差検出ＡＦ方式により焦点調節状態を検出しているとき、焦点検出しているフォーカスエリアに対応するマーク７１ａは、他のマーク７１と異なる表示態様（表示色、表示記号の大きさ等）で表示される。
【００４３】
また、コントラスト検出ＡＦ方式により焦点調節状態が検出されている場合にあっても、焦点検出しているフォーカスエリアに対応するマークをＬＣＤ３５の画像表示領域３３１に表示することにしてもよい。このようにすることにより、ＬＣＤ３５の画像表示領域３３１に表示されたマーク７１によってフォーカスエリアが示されている場合は位相差検出ＡＦ方式により焦点調節状態が検出されており、フォーカスエリアに対応するマークがＬＣＤ３５の画像表示領域３３１内を動いている場合はコントラスト検出ＡＦ方式により焦点調節状態が検出されていることがユーザに報知できる。
【００４４】
変形表示態様（４）：実行中のＡＦ方式に対応する音声をデジタルカメラ１に搭載された不図示のスピーカ等から音声出力する。不図示のスピーカ等から出力する音声はたとえばブザー音でよい。位相差検出ＡＦ方式により焦点調節状態を検出しているときと、コントラスト検出ＡＦ方式により焦点調節状態を検出しているときとで出力する音声を変えることが望ましい。また、焦点調節状態の検出中と、合焦完了後とで出力する音声を変更してもよい。
【００４５】
上記の実施形態では、動画像撮像中におけるＡＦ方式の切り替えについて説明した。しかし、ＡＦ方式を切り替え、実行中のＡＦ方式に関する報知を行うのは、動画像撮像中だけに限定しない。たとえば、静止画像を撮像するときなどにも適用できる。
【００４６】
以上で説明した各実施の形態や各種変形例はあくまで一例であり、発明の特徴が損なわれない限り、本発明はこれらの内容に限定されない。たとえば、発明の特徴が損なわれない範囲で各実施形態や各種変形例を任意に組み合わせて実行してもよい。
【符号の説明】
【００４７】
１  デジタルカメラ
２  交換レンズ
３  カメラボディ
２１ａ〜２１ｃ  レンズ
２２  絞り
２３  レンズ駆動制御装置
３１  撮像素子
３２  カメラ駆動制御装置
３３  メモリカード
３４  ＬＣＤドライバ
３５  ＬＣＤ
３６  接眼レンズ
３３１  画像表示領域
３３２  報知領域
Ｇ  撮像画面
Ｇ１〜Ｇ９  焦点検出領域
【図１】
0005454508.tif 000002
【図２】
0005454508.tif 000003
【図３】
0005454508.tif 000004
【図４】
0005454508.tif 000005
【図５】
0005454508.tif 000006
【図６】
0005454508.tif 000007
【図７】
0005454508.tif 000008